(57)【要約】【課題】  標準化された金属コネクタを有する発光ダイオードのランプであって、伝統的な街灯ランプ・ソケットに直接に取り付け可能であり、良好な放熱効果を有するＬＥＤ街灯を提供すること。【解決手段】  本発明のＬＥＤ街灯は、標準化された金属コネクタ１（１）と、金属コネクタ（１）と電気的に接続された発光ダイオードモジュール（２）と、放熱装置（３）とを含み、放熱装置（３）がヒートパイプ（３０１）と、放熱リアカバー（３０２）と、ヒートパイプ（３０１）と放熱リアカバー（３０２）との間に在りＬＥＤ街灯の動作時に生ずる熱量により運動するピストン装置と、ピストン装置と互いに連結する伝動装置と、ＬＥＤ街灯の前方の外部に在り伝動装置を介してピストン装置に連結した排熱ファン（３０３）とを含む。【選択図】図４
2011192647.tif 000002
【特許請求の範囲】
【請求項１】
ＬＥＤ街灯であって、
標準化された金属コネクタ１（１）と、
少なくとも一つの発光ダイオード（２０２）が電気的に接続された回路板（２０１）を有し金属コネクタ（１）と電気的に接続された発光ダイオードモジュール（２）と、
放熱装置（３）と
を含み、
前記放熱装置（３）が
少なくとも一つのヒートパイプ（３０１）にして、互いに接続される平坦部及び非平坦部を有し、前記平坦部の正面にて前記発光ダイオード（２０２）が配置されているヒートパイプ（３０１）と、
前記ヒートパイプの非平坦部と接する放熱リアカバー（３０２）と、
前記ヒートパイプ（３０１）と前記放熱リアカバー（３０２）との間に在り前記ＬＥＤ街灯の動作時に生ずる熱量により運動するピストン装置と、
前記ピストン装置と互いに連結する伝動装置と、
前記ＬＥＤ街灯の前方の外部に在り前記伝動装置を介して前記ピストン装置に連結した排熱ファン（３０３）とを
含み、
前記回路板（２０１）に貫通孔（２０１１）が設けられ、前記ピストン伝動装置が、前記貫通孔（２０１１）の個所に位置し前記伝動装置を介して前記ピストン装置に連結した対流ファン（３０７）を含んでいるＬＥＤ街灯。
【請求項２】
請求項１のＬＥＤ街灯であって、前記回路板（２０１）が前記ヒートパイプ（３０１）の平坦部の背面に位置し、前記ピストン装置が、
前記回路板（２０１）の背面に設けられたピストン・シリンダ（３０４）と、
前記ピストン・シリンダ（３０４）内に置かれたピストン（３０５）と、
前記ピストン（３０５）に連結しもう一方の端が前記伝動装置を介して排熱ファン（３０３）に連結しているピストン棒（３０６）と
を含むＬＥＤ街灯。
【請求項３】
請求項２のＬＥＤ街灯であって、前記ピストン・シリンダ（３０４）の後側に熱伝導部（３０４０）が設けられ、前記ピストン・シリンダ（３０４）の内部が、前記ピストン（３０５）によって後部熱室（３０４１）と前部冷室（３０４２）とに分割され、前記熱室（３０４１）は、前記熱伝導部（３０４０）と互いに結合されているＬＥＤ街灯。
【請求項４】
請求項２のＬＥＤ街灯であって、前記熱伝導部（３０４０）がパワー・トランジスタ又は放熱し易くない回路部品であるＬＥＤ街灯。
【請求項５】
請求項２、３又は４のＬＥＤ街灯であって、
前記伝動装置が、第一のかさ歯車（３０９１）と、第二のかさ歯車（３０９２）と、連接棒（３０８）とを含み、
前記ピストン・シリンダ（３０４）が前記ＬＥＤ街灯の前方に向かって縦方向に設置され、前記ピストン棒（３０６）の前部が前記連接棒（３０８）を介して横方向に設置された前記第一のかさ歯車（３０９１）に作動的に連結し、前記第一のかさ歯車（３０９１）が、縦方向に設置された前記第二のかさ歯車（３０９２）と互いに作動的に係合し、
前記排熱ファン（３０３）の後側に排熱ファン回転軸（３０３１）が設けられ、該排熱ファン回転軸（３０３１）が前記ＬＥＤ街灯の内部へ延在して前記第二のかさ歯車（３０９２）と互いに連結し、
前記対流ファン（３０７）には、前記第二のかさ歯車（３０９２）に互いに連結する対流ファン回転軸（３０７１）が設けられている
ＬＥＤ街灯。
【請求項６】
請求項１乃至４のいずれかのＬＥＤ街灯であって、前記排熱ファン（３０３）が螺旋状の葉状構造であるＬＥＤ街灯。
【請求項７】
請求項１のＬＥＤ街灯であって、前記放熱リヤカバー（３０２）が放熱フィン片又はアルミニウム放熱片であるＬＥＤ街灯。
【請求項８】
請求項１のＬＥＤ街灯であって、前記発光ダイオードモジュール（２）の後部に角度調整リング（４）が外から嵌められて前記標準化された金属コネクタ（１）と連結し、前記ＬＥＤ街灯が前記角度調整リング（４）に沿って適当な角度まで回転した際に前記ＬＥＤ街灯を固定する作用部分が内側の発光ダイオードモジュールに向いた錠締めピン要素が前記角度調整リング（４）のねじ部に設けられているＬＥＤ街灯。
【請求項９】
ＬＥＤ街灯であって、
標準化された金属コネクタ１（１）と、
少なくとも一つの発光ダイオード（２０２）が電気的に接続された回路板（２０１）を有し金属コネクタ（１）と電気的に接続された発光ダイオードモジュール（２）と、
放熱装置（３）と
を含み、
前記放熱装置（３）が
少なくとも一つのヒートパイプ（３０１）にして、互いに接続される平坦部及び非平坦部を有し、前記平坦部の正面にて前記発光ダイオード（２０２）が配置されているヒートパイプ（３０１）と、
前記ヒートパイプの非平坦部と接する放熱リアカバー（３０２）と、
前記ヒートパイプ（３０１）と前記放熱リアカバー（３０２）との間に在り前記ＬＥＤ街灯の動作時に生ずる熱量により運動するピストン装置と、
前記ピストン装置と互いに連結する伝動装置と、
前記ＬＥＤ街灯の前方の外部に在り前記伝動装置を介して前記ピストン装置に連結した排熱ファン（３０３）とを
含み、
前記回路板（２０１）が前記ヒートパイプ（３０１）の平坦部の背面に位置し、前記ピストン装置が、
前記回路板（２０１）の背面に設けられたピストン・シリンダ（３０４）と、
前記ピストン・シリンダ（３０４）内に置かれたピストン（３０５）と、
前記ピストン（３０５）に連結しもう一方の端が前記伝動装置を介して排熱ファン（３０３）に連結しているピストン棒（３０６）と
を含み、
前記伝動装置が、第一のかさ歯車（３０９１）と、第二のかさ歯車（３０９２）と、連接棒（３０８）とを含み、前記ピストン・シリンダ（３０４）が前記ＬＥＤ街灯の前方に向かって縦方向に設置され、前記ピストン棒（３０６）の前部が前記連接棒（３０８）を介して横方向に設置された前記第一のかさ歯車（３０９１）に作動的に連結し、前記第一のかさ歯車（３０９１）が、縦方向に設置された前記第二のかさ歯車（３０９２）と互いに作動的に係合し、
前記排熱ファン（３０３）の後側に排熱ファン回転軸（３０３１）が設けられ、該排熱ファン回転軸（３０３１）が前記ＬＥＤ街灯の内部へ延在して前記第二のかさ歯車（３０９２）と互いに連結している
ＬＥＤ街灯。
【請求項１０】
請求項９のＬＥＤ街灯であって、前記回路板（２０１）に貫通孔（２０１１）が設けられ、前記ピストン伝動装置が、前記貫通孔（２０１１）の個所に位置し前記伝動装置を介して前記ピストン棒（３０６）に連結した対流ファン（３０７）を含んでいるＬＥＤ街灯。
【請求項１１】
請求項９のＬＥＤ街灯であって、前記ピストン・シリンダ（３０４）の後側に熱伝導部（３０４０）が設けられ、前記ピストン・シリンダ（３０４）の内部が、前記ピストン（３０５）によって後部熱室（３０４１）と前部冷室（３０４２）とに分割され、前記熱室（３０４１）は、前記熱伝導部（３０４０）と互いに結合されているＬＥＤ街灯。
【請求項１２】
請求項９のＬＥＤ街灯であって、前記熱伝導部（３０４０）がパワー・トランジスタ又は放熱し易くない回路部品であるＬＥＤ街灯。
【請求項１３】
請求項１０のＬＥＤ街灯であって、前記対流ファン（３０７）には、前記第二のかさ歯車（３０９２）に互いに連結する対流ファン回転軸（３０７１）が設けられているＬＥＤ街灯。
【請求項１４】
請求項９乃至１２のいずれかのＬＥＤ街灯であって、前記排熱ファン（３０３）が螺旋状の葉状構造であるＬＥＤ街灯。
【請求項１５】
請求項９のＬＥＤ街灯であって、前記放熱リヤカバー（３０２）が放熱フィン片又はアルミニウム放熱片であるＬＥＤ街灯。
【請求項１６】
請求項９のＬＥＤ街灯であって、前記発光ダイオードモジュール（２）の後部に角度調整リング（４）が外から嵌められて前記標準化された金属コネクタ（１）と連結し、前記ＬＥＤ街灯が前記角度調整リング（４）に沿って適当な角度まで回転した際に前記ＬＥＤ街灯を固定する作用部分が内側の発光ダイオードモジュールに向いた錠締めピン要素が前記角度調整リング（４）のねじ部に設けられているＬＥＤ街灯。
【発明の詳細な説明】
【技術分野】
【０００１】
本発明は、照明灯に係り、特に、既存の伝統的な街灯と代替可能なＬＥＤ街灯に係る。
【背景技術】
【０００２】
現在まで、市場で販売されている街灯は、多くは、伝統的な水銀ランプであり、ランプ・ソケットに接続されて動作する。周知の如く、伝統的な水銀ランプの使用寿命は、比較的に短く、一般的に３０００時間しかなく、非常に破損しやすく、頻繁に交換され、また消費電力が大きく、既に、現代社会に於いて提唱されている省エネ、廃棄物削減といった環境上の要求を満足できなくなってきている。現在のＬＥＤ技術の発展は、伝統的な街灯照明に対して一つの合理的な道を示しており、既に、ＬＥＤ街灯を採用して伝統的な街灯の照明器具に代替されているが（例えば、特許文献１参照）、伝統的な街灯は既に長期間に亘って発展し、現在、既に標準化され、規格化されており、例えば、現在、一般に採用されている街灯のランプ・ソケットはＥ４０と呼ばれる金属ソケットであり、もし伝統的な水銀ランプの代わりにＬＥＤランプを採用するとすれば、最も合理的な方法は、ＬＥＤランプを現在の通常のランプ・ソケットに直接に接続して動作させることであるところ、現在のＬＥＤ街灯は、（Ｅ４０金属コネクタの如き）伝統的な電球に特定の型式のコネクタ（口金）を有しておらず、従って、伝統的な水銀ランプと直接に交換することができない。また、既存のＬＥＤ街灯は、多くの比較的小さい構造によりランプ全体の重量と体積を低減しており、内部構造の空間が比較的狭くなり、これにより、狭い空間内に於いて、放熱能力が或る程度損失し得る。従って、如何にＬＥＤ街灯に更に良好な放熱効果を持たせるかということが、研究に於ける一つの重点となっている。
【先行技術文献】
【特許文献】
【０００３】
【特許文献１】米国特許公開２０１０／０３１４９８４Ａ１
【発明の概要】
【発明が解決しようとする課題】
【０００４】
かくして、本発明の一つの課題は、標準化された金属コネクタ（口金）を有する発光ダイオードランプであって、伝統的な街灯ランプ・ソケットに直接に取り付け可能なランプを提供することである。
【０００５】
本発明のもう一つの課題は、良好な放熱効果を有するＬＥＤ街灯を提供することである。
【０００６】
本発明のもう一つの課題は、限られた投射角度しか有していないＬＥＤ街灯に接続され、ＬＥＤ街灯を任意の角度にて固定可能にする角度調整リングを提供することである。
【課題を解決するための手段】
【０００７】
上記の課題は、本発明によれば、ＬＥＤ街灯であって、標準化された金属コネクタ（口金）と、少なくとも一つの発光ダイオードが電気的に接続された回路板を有し金属コネクタと電気的に接続する発光ダイオードモジュールと、放熱装置とを含み、前記放熱装置が、少なくとも一つのヒートパイプにして、互いに接続される平坦部及び非平坦部を有し、前記平坦部の正面にて前記発光ダイオードが配置されているヒートパイプと、前記ヒートパイプの非平坦部と接する放熱リアカバーと、ヒートパイプと放熱リアカバーとの間に在りＬＥＤ街灯の動作時に生ずる熱量により運動するピストン伝動装置と、ＬＥＤ街灯の前方の外部にて前記ピストン伝動装置と作動的に連結する排熱ファンとを含むＬＥＤ街灯によって達成される。
【０００８】
また、上記の構成に於いて、好ましくは、前記回路板は、ヒートパイプの平坦部の背面に置かれ、前記ピストン伝動装置は、前記回路板の背面に置かれたピストン・シリンダと、ピストン・シリンダ内に配置されたピストンと、ピストンと連結したピストン棒とを含み、排熱ファンが、ピストン棒と作動的に連結していてよい。
【０００９】
更に、上記の構成に於いて、好ましくは、前記回路板に貫通孔が設けられ、前記ピストン伝動装置は、更に、貫通孔の個所に置かれ前記ピストン棒と作動的に連結する対流ファンを含んでいてよい。
【００１０】
また、更に、上記の構成に於いて、好ましくは、前記発光ダイオードモジュールの後部には角度調整リングが外から嵌められ、前記標準化された金属コネクタと連結し、該角度調整リングに沿ってＬＥＤ街灯が適当な角度まで回転した際に固定されるよう、角度調整リングのねじ部には、作用部分が内側の発光ダイオードモジュールに向かう錠締めピン要素が設けられてよい。
【００１１】
角度調整リングは、そのリング体のねじ部に錠締めピン要素が設けられ、前記錠締めピン要素の回転頭部が外方に向き、圧し付け尾部が内方に向くよう構成されてよい。
【発明の効果】
【００１２】
本発明によれば、標準化された金属コネクタを有するＬＥＤランプにして、金属コネクタは、Ｅ４０、Ｅ２７の如き型式用の回転コネクタ及びその他の類似の回転コネクタであり、通常の街灯と同様に直接に伝統的なランプ・ソケットへ取り付けることができ、水銀ランプの如き伝統的なランプが損耗してこれが取り除かれた後これに代わるＬＥＤランプが提供され、これにより、現在に於いて広範囲に使用されている街灯ソケットについて余計な費用を費やす改装が必要なくなり、大量の資金と人件費を節約することができるとともに、ＬＥＤ街灯の採用は、使用寿命が大幅に延長するだけでなく、現在の社会の省エネ・廃棄物削減といった環境上の要求にかなう。本発明による放熱装置は、ヒートパイプ、放熱リアカバー、動作中の発熱量により動力を提供して熱の排出を実行するピストン伝動装置、排熱ファン及び対流ファンを結合して、構造は巧妙であり、余分なエネルギーを消耗せず、ＬＥＤ街灯の比較的小さい空間内で良好な放熱効果が得られ、有効的に街灯の長時間の作動と使用寿命とが保証され、また、角度調整装置は、限られた投射角度しかないＬＥＤランプに於いて、要求される照射方向に応じて角度の調整を可能とし、最良の照射効果が得られることとなる。
【００１３】
以下、添付の図面と本発明の具体的な実施形態により、本発明は更に説明される。
【図面の簡単な説明】
【００１４】
【図１】図１は、本発明の構造を示す図である。
【図２】図２は、本発明の内部構造を示す図である。
【図３】図３は、本発明の第１の実施の形態の後側の内部構造を示す図である。
【図４】図４は、本発明の第２の実施の形態の後側の内部構造を示す図である。
【符号の説明】
【００１５】
１…金属コネクタ
２…発光ダイオードモジュール
３…放熱装置
４…角度調整リング
５…絶縁リング
２０１…回路板
２０２…発光ダイオード
３０１…ヒートパイプ
３０２…放熱リアカバー
３０３…排熱ファン
３０３１排熱ファン回転軸
３０４…ピストン・シリンダ
３０５…ピストン
３０６…ピストン棒
３０７…対流ファン
３０８…連接棒
３０９１…第一のかさ歯車
３０９２…第二のかさ歯車
４１…錠締めピン要素
【発明を実施するための形態】
【００１６】
図１〜図４に示されている如く、本発明の提供するＬＥＤ街灯は、街灯のランプ・ソケットに適合する通常の形式の、例えばＥ４０コネクタ、Ｅ２７コネクタなどの回転コネクタにして外部にねじが設けられ、ランプ・ソケット内へ回し入れられて固定することのできる標準化された金属コネクタ１と、金属コネクタ１と電気的に接続されて更に金属コネクタ１がランプ・ソケットに受け入れられると電気エネルギーを得て作動する発光ダイオードモジュール２にして、回路板２０１を有し、各種の電子部品を用いて、少なくとも一つの発光ダイオード２０２が回路板２０１に電気的に接続されて、正常に作動可能となる発光ダイオードモジュール２と、発光ダイオードモジュール２の動作時に放熱を実行する放熱装置３とを含み、図３に示されている如き、第一の実施例に於いて、放熱装置３は、良好な熱交換効果を得るための少なくとも一つのヒートパイプ３０１にして、互いに連結された平坦部及び非平坦部を有し、平坦部の正面に前記発光ダイオード２０２が取り付けられ、合理的な構造にて、発光ダイオード２０２の作動により生ずる熱量がヒートパイプ３０１の平坦部を通って非平坦部へ伝達するヒートパイプ３０１と、好適には放熱フィン片又はアルミニウム放熱片である放熱リアカバー３０２にして、空気とより大きいな面積にて接触し、熱伝達効率も高く、前記ヒートパイプ３０１の非平坦部へ接し、ヒートパイプ３０１の非平坦部に伝達した熱量が放熱リアカバー３０２に更に伝達し、放熱リアカバー３０２の片状（薄い板状）の構造を通じて発散していくよう構成された放熱リアカバー３０２と、ヒートパイプ３０１と放熱リアカバー３０２と間に置かれたピストン伝動装置にして、ＬＥＤ街灯の作動時に生ずる熱量がピストン構造を運動させる微小な動力源となるピストン伝動装置と、ＬＥＤ街灯の前方外部の排熱ファン３０３にして、前記ピストン伝動装置に作動的に連結し、ピストン伝動装置により動力を得て、ＬＥＤ街灯の内部の熱い空気を排出する排熱ファン３０３とを含んでいる。
【００１７】
また、本発明の最適な実施形態によれば、回路板２０１はヒートパイプ３０１の平坦部の背面に置かれ、前記ピストン伝動装置は、回路板２０１の背面に設けられるピストン・シリンダ３０４と、ピストン・シリンダ３０４内に設けられるピストン３０５と、ピストン３０５と連結するピストン棒３０６とを含み、前記排熱ファン３０３が前記ピストン棒３０６と作動的に連結し、回路板２０１の背面と放熱リアカバー３０２と間の空間に於いて一つの完全な動力連動機構が構成される。
【００１８】
本発明が採用する標準化された金属コネクタ１によれば、ＬＥＤ街灯は、普通の街灯と同様に直接に伝統的なランプ・ソケットに組み合わせて取り付け可能となり、水銀ランプの如き伝統的なランプが損耗してこれが取り除かれた後にこれに取り代えられ、これにより、現在に於いて広範囲に使用されている街灯ソケットについて余計な費用を費やす改装が必要なくなり、大量の資金と人件費を節約することができるとともに、ＬＥＤ街灯の採用は、使用寿命が大幅に延長するだけでなく、現在の社会の省エネ・廃棄物削減といった環境上の要求にかなうこととなる。
【００１９】
このほかに、図４の第二の実施例を参照して、前記回路板２０１に於いては、好適には、貫通孔２０１１が設けられ、回路板２０１の正面に置かれた発光ダイオード２０２の作動により生ずるより熱い空気が貫通孔２０１１を通って回路板２０１の背面の空間まで伝達可能となる。その空気の流動の加速のために、前記ピストン伝動装置は、更に、貫通孔２０１１の位置に、ピストン棒３０６と作動的に連結した対流ファン３０７を含み、対流ファン３０７の回転により、回路板２０１の正面と背面の両側に於ける空気の流動の加速が可能となる
【００２０】
上記の実施例の構造に於いて、ピストン伝動装置は、熱い空気により作動する。そこに於いて、ピストン・シリンダ３０４の後側には、パワー・トランジスタ又はその他の放熱し易くない回路部品などの鋭敏な熱伝導性を有し、熱量を効率的にピストン・シリンダ３０４内まで伝達することができる熱伝導部３０４０が設けられ、ピストン・シリンダ３０４の内部は、ピストン３０５によって、後部の熱室３０４１と前部の冷室３０４２に分割され、熱室３０４１は、熱伝導部３０４０と互いに結合され、ＬＥＤ街灯の作動時に生ずる熱量は、熱伝導部３０４０に吸収されて熱室３０４１へ伝達し、熱すれば膨張し冷やせば縮む原理（熱膨張の原理）に従って、熱室３０４１は熱を受容して膨張し、ピストン３０５を前方へ推し動かして運動させて、冷室３０４２を圧してピストン棒３０６を前方へ移動する。
【００２１】
更に、ピストン・シリンダ３０４はＬＥＤ街灯の前方に向かって縦方向に設置され、前記ピストン棒３０６は、前部が連接棒３０８を介して横方向に設置された第一のかさ歯車３０９１に作動的に連結し、第一のかさ歯車３０９１は、縦方向に設置された第二のかさ歯車３０９２と互いに作動的に係合して、ピストン棒３０６の前方への運動が第一のかさ歯車３０９１介して第二のかさ歯車３０９２へ伝達し、第二のかさ歯車３０９２をして前後方向の縦方向の回転を中軸の回転に変更する。
【００２２】
また、排熱ファン３０３の後側には、排熱ファン回転軸３０３１が設けられ、排熱ファン回転軸３０３１は、ＬＥＤ街灯の内部へ延在し、前記第二のかさ歯車３０９２と互いに連結し、第二のかさ歯車３０９２の回転が伝達して排熱ファン３０３の回転となり、そして、排熱ファン３０３の回転時に於いて、ＬＥＤ街灯の外部の冷たい空気をＬＥＤ街灯の内部へ吹き込むことが可能であり、冷たい空気は、熱伝導部３０４０に接触し、温度が熱室３０４１へ伝達して、熱室３０４１が冷却されて圧縮せしめられ、これにより、ピストン３０５の後方の熱室３０４１へ向かう運動がピストン棒３０６に伝達し、順に、連結棒３０８を介して第一のかさ歯車３０９１、第二のかさ歯車３０９２へ伝動される。かくして、伝動プロセスが繰り返され、余計なエネルギー源を必要としない動力循環が構成される。
【００２３】
上記の構造に基づいて、第三の実施例に於ける対流ファン３０７には、回転動力の取得のために、前記第二のかさ歯車３０９２に互いに連結する対流ファン回転軸３０７１が設けられる。
【００２４】
更に、本発明の好適な実施形態によれば、排熱ファン３０３は、扇風機の羽根と同様に、螺旋状の葉状構造であり、良好な換気排熱効果が得られる。
【００２５】
本発明の上記の放熱構造は、十分に巧妙であり、余計なエネルギーを消耗せず、ＬＥＤ街灯の小さな構造の空間内にて良好な放熱効果が得られ、有効に街灯の長時間の作動と使用寿命とが保証される。
【００２６】
本発明の更なる構造に於いては、照射角度を調整できる構造として、発光ダイオードモジュール２の後部に外から嵌められる角度調整リング４が提供されており、角度調整リング４は、発光ダイオードモジュール２の後部が金属コネクタ１と互いに接続する絶縁リング５の位置に置かれ、前記標準化された金属コネクタ１と連結し、かかる角度調整リング４に於けるねじ部に、作用部分が内側の発光ダイオードモジュール２へ向いた錠締めピン要素４１が設けられ、これにより、ＬＥＤ街灯が角度調整リング４に沿って適当な角度まで回転した際に固定され、限られた投射角度しか持っていないＬＥＤ街灯が要求される照射方向に基づいた角度に調整され、最良の照射効果が得られる。
【００２７】
本発明の図１に示されている角度調整リング４に於いては、そのリング体に於けるねじ部に錠締めピン要素４１が設けられ、かかる錠締めピン要素４１の回転頭部が外方を向き、圧し付け尾部が内方を向き、回転頭部を回転することにより、錠締めピン要素４１の圧し付け尾部に於けるリング体の内方向の位置を制御し、これにより、異なる内径サイズが得られ、適切に、内部にて圧し付けられる物体を固定することができ、本発明のＬＥＤ街灯と組み合わせて使用すると、これにより、照射角度の調整可能な構造が得られる。
【００２８】
当然、上記は、本発明の好ましい実施例を参照して為された説明の模範例であり、本発明の精神及び範囲から逸脱することなく、本発明の属する技術分野の通常の知識を有する物について、多くの変更及び修正が為されることは理解されるべきである。従って、本発明は、記載された実施例に限定されず、特許請求の範囲の記載を基準として、即ち、本願の範囲から離れることなく、これに均等の変更及び修飾は、依然として本発明の範囲に属する。
【図１】
2011192647.tif 000003
【図２】
2011192647.tif 000004
【図３】
2011192647.tif 000005
【図４】
2011192647.tif 000006